(57)【要約】      （修正有）【課題】多数の部材を使う万華鏡の組立てを子供でも簡単かつ迅速容易にすると共に、円滑かつ安定した回転操作となり、細片の入替と保管も容易となる万華鏡を提供する。【解決手段】ミラー部材２１は、内面に複数の区画が形成されるミラーベースと、各区画に固着されるミラーと、各区画の境界に沿って多角柱状に折り曲げられたミラーベースの先端部に固着される覗孔ベース１７とからなる。細片部材３１はネックリング３６に固着されてボトル３３の呑口３５に回転可能に取り付けられる回転カップ２３と、ビーズ等からなる細片を移動自在に収容した細片カプセル２９とからなる。ミラーベースの先端部にはスポンジ片１３が固定される。回転の機能をネックリング３６に集約しているため、子供でも片手の指２本で回転させることができる。【選択図】図８
0003190667.tif 000002
【実用新案登録請求の範囲】
【請求項１】
ミラー部材と細片部材とからなる万華鏡用組立てキットであって、
ミラー部材は、内面に複数の区画が形成されるミラーベースと、上記各区画に固着されるミラーと、各区画の境界に沿って多角柱状に折り曲げられた上記ミラーベースの先端部に固着される覗孔ベースとからなり、
細片部材はネックリングに固着されてボトルの呑口に回転可能に取り付けられる回転カップと、ビーズ等からなる細片を移動自在に収容した細片カプセルとからなり、
上記回転カップ内に上記細片カプセルが移動自在に収容されることを特徴とする万華鏡用組立てキット。
【請求項２】
請求項１記載の万華鏡用組立てキットにおいて、多角柱状に折曲げ形成されたミラーベースの先端部形状に対応する形状の貫通孔を有するスポンジ片が上記ミラーベースの先端部に固定されることを特徴とする万華鏡用組立てキット。
【請求項３】
請求項１又は請求項２記載の万華鏡用組立てキットにおいて、上記ミラーは上記区画と同一の形状に形成され、上記区画は先端部に向けて拡開された台形状に形成されることを特徴とする万華鏡用組立てキット。
【請求項４】
請求項１又は請求項２記載の万華鏡用組立てキットにおいて、上記ミラーベースは各区画の先端部にフラップ片が設けられることを特徴とする万華鏡用組立てキット。
【請求項５】
請求項４記載の万華鏡用組立てキットにおいて、上記フラップ片は拡開されて覗孔ベースに固着されることを特徴とする万華鏡用組立てキット。
【請求項６】
請求項１又は請求項２記載の万華鏡用組立てキットにおいて、上記ミラーベースが三角柱状に折曲げ形成されることを特徴とする万華鏡用組立てキット。
【請求項７】
請求項１又は請求項２記載の万華鏡用組立てキットにおいて、上記ボトル及び上記ネックリングが廃棄された透明のペットボトル及び蓋の残滓からなることを特徴とする万華鏡用組立てキット。
【考案の詳細な説明】
【技術分野】
【０００１】
本願考案は万華鏡を手づくりすることができる万華鏡用組立てキットに関する。
【背景技術】
【０００２】
万華鏡は、ミラー貼りした筒体内に移動するビーズ等の細片を入れ、移動する細片の変化を楽しむ玩具の一種である。筒体を回転させることにより、筒体内で細片が移動し、ミラーに反射された細片がミラーの対称性により種々に変化するので、これを楽しむのである。老若男女を問わず楽しむことができる玩具であるが、とくに多感な子供には教育的効果も期待できるという側面がある。
【０００３】
しかしながら、万華鏡は子供の場合手製するには多数の部材を使うため複雑で難しかった。
【０００４】
例えば従来の万華鏡工作では特にミラーの組立てに苦慮することが多い。一般的には複数のミラーを素組みで角柱型に組むことが多いが、子供の技量ではこの素組みを正確な形で組むことが難しかった。
【０００５】
またミラーの表裏を直接触ることが多く、この場合、テープの接着成分やその他の汚れがミラーに付着しやすかった。ミラー内部に付いた汚れは気づかないまま組み立てられるため、鮮やかな映像を得られないケースが多く見られた。
【０００６】
また従来の万華鏡は本体全体を回転させて映像の変化を楽しむものであるところ、子供の手ではそれを両手で回さなければならず、ぎこちない動作となるため、ブレや回転ムラなどが生じていた。
【０００７】
さらにビーズなどの細片は非常に細かいものが対象となるため、入替え時にはこぼしやすく、また折角ブレンドした細片を保管する際も手間がかかるなどストレスのある作業となっていた。
【０００８】
さらにまた従来の万華鏡は本体形状が細長い円柱型であり横にして保管することが多く、保管面積をとり、また保管中転がる等の欠点があった。
【先行技術文献】
【特許文献】
【０００９】
【特許文献１】特開２００１−２１８３４号公報
【特許文献２】特開２００５−２０８２１３号公報
【特許文献３】実用新案登録第３１５３７３９号公報
【特許文献４】実用新案登録第３０６７２４６号公報
【特許文献５】実用新案登録第３０８７９７２号公報
【考案の概要】
【考案が解決しようとする課題】
【００１０】
本願考案は上記背景に鑑み、万華鏡の構成部材をコンパクトにまとめることにより、多数の部材を使う万華鏡の組立てを子供等のユーザでも簡単かつ迅速容易にすることを目的とする。
【００１１】
また、万華鏡の回転使用の際、円滑かつ安定した操作となり、細片の入替を簡単とし、細片の保管も容易となる万華鏡を供することをも目的とする。
【課題を解決するための手段】
【００１２】
上記目的達成のため、本願考案による万華鏡用組立てキットは、
ミラー部材と細片部材とからなる万華鏡用組立てキットであって、
ミラー部材は、内面に複数の区画が形成されるミラーベースと、上記各区画に固着されるミラーと、各区画の境界に沿って多角柱状に折り曲げられた上記ミラーベースの先端部に固着される覗孔ベースとからなり、
細片部材はネックリングに固着されてボトルの呑口に回転可能に取り付けられる回転カップと、ビーズ等からなる細片を移動自在に収容した細片カプセルとからなり、
上記回転カップ内に上記細片カプセルが移動自在に収容されることを特徴とする。
また、請求項１記載の万華鏡用組立てキットにおいて、多角柱状に折曲げ形成されたミラーベースの先端部形状に対応する形状の貫通孔を有するスポンジ片が上記ミラーベースの先端部に固定されることを特徴とする。
また、請求項１又は請求項２記載の万華鏡用組立てキットにおいて、上記ミラーは上記区画と同一の形状に形成され、上記区画は先端部に向けて拡開された台形状に形成されることを特徴とする。
また、請求項１又は請求項２記載の万華鏡用組立てキットにおいて、上記ミラーベースは各区画の先端部にフラップ片が設けられることを特徴とする。
また、請求項４記載の万華鏡用組立てキットにおいて、上記フラップ片は拡開されて覗孔ベースに固着されることを特徴とする。
また、請求項１又は請求項２記載の万華鏡用組立てキットにおいて、上記ミラーベースが三角柱状に折曲げ形成されることを特徴とする。
また、請求項１又は請求項２記載の万華鏡用組立てキットにおいて、上記ボトル及び上記ネックリングが廃棄された透明のペットボトル及び蓋の残滓からなることを特徴とする。
【考案の効果】
【００１３】
本願考案によれば、きれいにカットすることが困難なミラーベース、覗孔ベース、ミラーといった要カット部材がプレカットされているため、小さな子供でも剥して貼るという動作だけで組み立てることができ、簡単かつ迅速容易な組立てをすることができる。
【００１４】
多数の部材がコンパクトにまとまっているため、組立て作業が複雑とならないので、小さな子供でも万華鏡を製作することができる。例えば、ミラーの組立ては、ミラーベースを用いてミラーを素組みするため、ミラー面にあまり触れずに短時間で正確かつきれいに組み立てることができる。
【００１５】
また、回転使用の際の回転ムラや回転ブレに関し、本願考案による万華鏡用組立てキットは回転の機能をボトルのネックリングに集約しているため、子供でも片手の指２本で回転させることができる。よって他方の手で本体のボトルをしっかりと持つことができ、安定した操作性が可能になる。
【００１６】
さらに、細片の入替に関し、本願考案による万華鏡用組立てキットはカプセル式であるため、あらかじめセットした細片を簡単に入替えることができる。
【００１７】
廃棄されたボトルを利用し、本願考案による組立てキットのみ購入すれば万華鏡を製作することができるため、安価な製作が可能となる。
【図面の簡単な説明】
【００１８】
【図１Ａ】本願考案による万華鏡用組立てキットのミラー部材の正面図である。
【図１Ｂ】本願考案による万華鏡用組立てキットのミラーの正面図である。
【図１Ｃ】本願考案による万華鏡用組立てキットの覗孔ベースの正面図である。
【図１Ｄ】本願考案による万華鏡用組立てキットのスポンジ片の正面図である。
【図１Ｅ】（Ａ）は本願考案による万華鏡用組立てキットの細片カプセルの実施例を示す斜視図、（Ｂ）は同細片カプセルの他の実施例を示す斜視図である。
【図１Ｆ】本願考案による万華鏡用組立てキットの回転カップの正面図である。
【図２Ａ】本願考案による万華鏡用組立てキットの第１Ａ工程を示す図である。
【図２Ｂ】（Ａ）は本願考案による万華鏡用組立てキットの第１Ｂ工程を示す図、（Ｂ）は第１Ｂ工程におけるフラップ片拡開後の正面図である。
【図２Ｃ】本願考案による万華鏡用組立てキットの第１Ｃ工程を示す図である。
【図２Ｄ】（Ａ）は本願考案による万華鏡用組立てキットの第１Ｄ工程を示す図、（Ｂ）は第１Ｄ工程のＢ視斜視図である。
【図３】（Ａ）は本願考案による万華鏡用組立てキットの第２工程を示し、（Ｂ）は（Ａ）のＢ視拡大斜視図である。
【図４】本願考案による万華鏡用組立てキットの第３工程を示す。
【図５】（Ａ）は本願考案による万華鏡用組立てキットの第４工程を示す斜視図、（Ｂ）は（Ａ）におけるカット後の斜視図である。
【図６】（Ａ）は本願考案による万華鏡用組立てキットの第５工程を示し、（Ａ）は第５Ａ工程を、（Ｂ）は第５Ｂ工程を各示す斜視図である。
【図７】（Ａ）は本願考案による万華鏡用組立てキットの第６工程を示し、（Ａ）は第６Ａ工程を、（Ｂ）は第６Ｂ工程を、（Ｃ）は第６Ｃ工程を、（Ｄ）は第６Ｄ工程を各示し、（Ｅ）は（Ｄ）のＥ部拡大図である。
【図８】本願考案による万華鏡用組立てキットの第７工程を示す一部省略正面図である。
【図９】本願考案による万華鏡用組立てキットにより組立て完成された万華鏡の斜視図である。
【図１０】（Ａ）は、本願考案による万華鏡用組立てキットにより組立て完成された万華鏡の使用状態を示す斜視図、（Ｂ）は覗き角度を説明する概略側面図である。
【考案を実施するための形態】
【００１９】
次に、実施の形態を示す図面に基づき本願考案による万華鏡用組立てキットをさらに詳しく説明する。なお、便宜上同一の機能を奏する部分には同一の符号を付してその説明を省略する。
【００２０】
ミラー部材２１は、ミラーベース１と、ミラー１１と、スポンジ片１３と、覗孔ベース１７とから構成される。
【００２１】
ミラーベース１は複数個の区画３を備え、各区画３の先端部７にフラップ片９が設けられ、基端部５から先端部７に向けて拡開状に形成される。図示実施例の場合、ミラー部材２１は三角柱状に形成されるので、ミラーベース１には３個の区画３が設けられる。４は隣接する区画３と同形に形成された糊代片である。
【００２２】
ミラー１１は上記区画３と同一の形状に形成され、表面が鏡面１２に、裏面が糊面となっている。該ミラー１１は図示実施例の場合３箇１組からなり、上記糊面が上記区画３の内面に貼着される。
【００２３】
スポンジ片１３は適宜厚（図示実施例の場合１５ｍｍ）の円形（図示実施例の場合直径７０ｍｍ）に形成されたポリウレタン製スポンジからなり、中央部に三角柱状（図示実施例の場合一辺３５ｍｍの正三角柱状）に形成されたミラーベース１が挿通される貫通孔１５が設けられる。該スポンジ片１３は、三角柱状に形成されたミラーベース１がボトル３３内に安定的に設置されることを可能とする。
【００２４】
覗孔ベース１７は上記スポンジ片１３と略同一の円形板１８からなり、中央部に、組み立て形成されたミラーベース１の先端部７と同一形状の三角形状の覗孔１９が設けられる。
【００２５】
細片部材３１は、回転カップ２３と、細片カプセル２９とから構成される。
【００２６】
回転カップ２３は円錐台状に形成されたカップからなり、内部に細片カプセル２９を移動自在に収容する。該回転カップ２３は下部２５が開放され、該下部２５が透明のボトル３３の呑口３５に回転可能に取り付けられる。本実施例では、回転カップ２３は底部２４を切除することにより下部２５が開放される。上記回転カップ２３の上面には、蓋２７が取外し自在に冠着される。回転カップ２３の取付けに際し、ボトル蓋の残滓であるネックリング３６が利用される（後述）。
【００２７】
細片カプセル２９は例えば平面視ハート形、円形のような適宜形状の容器からなり、内部にビーズ、紙片等の細片が移動自在に収容されてなる。
【００２８】
次に、上記各部材の組立て工程について説明する。
【００２９】
まずミラーベース１の内面に形成されている各区画３に合わせてミラー１１を貼着する（図２Ａ、第１Ａ工程）。ミラー１１の裏面には保護フィルム（図示省略）が貼着されているので、これを剥し、露出された糊面を上記各区画３に貼着する。このとき、ミラー１１の基端部１１ａは、図２Ｂに示すように、ミラーベース１の基端部５から少しはみ出る。
【００３０】
次いで、ミラーベース１を区画３の長手方向に沿って付した折目８にしたがって三角柱状に折り曲げる（図２Ｂ、第１Ｂ工程）。この折曲げに際しては、糊代片４を隣接する区画３に両面テープや糊などにより貼着する。
【００３１】
次いで、各区画３のフラップ片９を折り曲げ、フラップ片９が外方に拡開される（図２Ｃ、第１Ｃ工程）。
【００３２】
次いで、ミラー１１の基端部１１ａに接着テープ１０が巻着され、組み立てられたミラーベース１を三角柱状に固定する（図２Ｃ）。
【００３３】
また、拡開されたフラップ片９を覗孔ベース１７に貼着する（第１Ｄ工程）。この際、三角柱状に形成されたミラーベース１の先端部７と三角形状に形成された覗孔ベース１７の覗孔１９とを合致させた位置において、フラップ片９を接着テープや糊などにより覗孔ベース１７に貼着する（図２Ｄ（Ａ）（Ｂ））。
【００３４】
次に、ミラー１１及び覗孔ベース１７を貼着され三角柱状に組み立て形成されたミラーベース１に、スポンジ片１３が取り付けられる（図３（Ａ）（Ｂ）、第２工程）。ミラーベース１へのスポンジ片１３の取付けは、ミラーベース１の基端部１１ａを貫通孔１５内に挿通し、先端部１１ｂに至ったら終了する。これにより、三角柱状に組み立て形成されたミラーベース１がボトル３３内に設置されたとき、該ミラーベース１の設置が安定する。
【００３５】
次いで、上記工程を経たミラーベース１及び覗孔ベース１７の外面にユーザの好む色紙３９やシール４０を貼着したり、色塗り４１をする（図４、第３工程）。
【００３６】
かくしてミラー部材２１の組立てが終了する。
【００３７】
次いで細片部材組立て工程に移行する。まず、ボトル３３のボディ３４がカッタ３７によりカットされる（図５（Ａ）、第４工程）。ボトル３３は適宜の廃棄ボトルが利用される。ボディ３４の切断部位は、ミラー基端部１１ａからミラーベース１の先端部７までの長さＬ1より若干長い長さＬ2（本実施例では１４ｃｍ）の部位が選ばれる（図５（Ｂ））。
【００３８】
次いで、上記ミラー部材２１が上記ボトル３３内に挿通され、基端部１１ａが呑口３５にセットされる（図６（Ａ）（Ｂ）、第５工程）。
【００３９】
次いで、下部２５を開放した回転カップ２３の該下部２５がボトル３３の呑口３５に挿通され、呑口３５に遊嵌されているネックリング３６に接着テープ３８により固着される。これにより、回転カップ２３が呑口３５に円滑に回転可能に取り付けられる（図７（Ａ）乃至（Ｅ）、第６工程）。
【００４０】
次いで、該回転カップ２３内にビーズ等の細片が移動自在に収容された細片カプセル２９が移動自在に収容され、蓋２７が回転カップ２３に冠着される（図８、第７工程）。
【００４１】
これにより、細片部材３１がボトル３３の呑口３５に回転可能に取り付けられ、万華鏡が完成する（図９）。
【００４２】
本願考案により組立てられた万華鏡の使用方法は通常と変わらない。子供等のユーザが図１０（Ａ）、（Ｂ）に示すように片手でボディ３４を持ち、適宜の覗き角度αにより覗孔１９から覗き込む。
【００４３】
このとき他方の手で細片部材３１を回転させる。すると細片カプセル２９内の細片が移動自在となり、この細片の姿が３面のミラー１１に映し出されるので、種々に変化した様々の模様をユーザは見ることになる。
【００４４】
本実施の形態によれば、ミラーベース１を用いてミラー１１を素組みするため、ミラー面１２にあまり触れずに短時間で正確かつきれいに組み立てることができる。よって、万華鏡の組立てを簡単かつきれいに、さらに迅速容易に行うことができる。
【００４５】
回転使用時の回転の機能がボトル３３のネックリング３６に集約しているため、図１０に示すように、子供でも片方の手Ａの指２本で円滑に回転させることができる。よって他方の手Ｂで本体のボトル３３をしっかりと持つことができ、安定した操作性が可能になる。
【００４６】
細片の入替えはカプセル式であるため、図８に示すように、あらかじめ細片カプセル２９にセットされた細片を簡単に入替えることができる。よって、入替時の細片のこぼれや保管の際の手間やストレスもかからない。また、回転カップ２３に収容可能なものであれば、市販のタブレット用ケースにて細片カプセル２９の代用をすることも可能である。
【００４７】
覗孔ベース１７も回転カップ２３の蓋２７もいずれもフラットな面となっているため、ボトル３３の保管に当たり、図９に示すように、いずれの面を底面としてもスタンド状態で保管することができる。
【００４８】
廃棄されたボトル３３を利用し、本願考案による組立てキットのみ購入すれば万華鏡を製作することができるため、安価な製作が可能となる。
【００４９】
図４に示すように、ミラーベース１の外面に好きな色紙や、デザイン模様を貼ったり、色塗りをすることができるので、ユーザの個性豊かな作品を作ることができる。これは子供達に豊かな感性を育む効果を期待することができ、また子供達に教育的効果をもたらすことができる。
【００５０】
ボトル３３内に挿通されるミラー部材２１の外面に施した装飾は、ボトル３３が透明であるため外から見えるのでユーザ子供が達成感、満足感を味わうことになる。
【００５１】
図９に示すように、ミラー部材２１はボトル３３内に内蔵されており、ボトル３３により保護されるので、汚れや損傷を防止することができる。
【００５２】
本願考案は上記実施の形態に限定されない。例えばミラーベース１は四角柱状以上の多角柱状に組み立てられよう形成されてもよい。この場合スポンジ片１３に設けられる貫通孔１５はミラーベース１の組立て形状に対応する形状に形成される。覗孔ベース１７の覗孔１９は必ずしもミラーベース１の組立て形状に対応する形状に形成されなくてもよい。例えば、上記図示例の場合において覗孔１９を円形としてもよい。
【００５３】
回転カップ２３の形状は任意である。また市販のケースを使用する場合は、底部２４をカットして回転カップ２３の下面２５を開放して使用する。細片の種類、形状も任意である。
【００５４】
ミラー１１の形状も任意である。必ずしも先端部７に向けて拡開されていなくてもよい。
【００５５】
フラップ片９を設けず、覗孔ベース１７をミラーベース１の先端部７に接着テープなどにより直接貼り付けてもよい。
【００５６】
さらにスポンジ片１３を省略して、覗孔ベース１７をボトル３３に接着テープなどにより直接貼り付けてもよい。
【産業上の利用可能性】
【００５７】
本願考案は万華鏡の組立て工作に利用することにより、例えば、子供の教育玩具や痴呆老人の介護資材として活用することができる。
【符号の説明】
【００５８】
１      ミラーベース
３      区画
４      糊代片
５      基端部
７      先端部
８      折目
９      フラップ片
１０    接着テープ
１１    ミラー
１１ａ  基端部
１１ｂ  先端部
１２    鏡面
１３    スポンジ片
１５    貫通孔
１７    覗孔ベース
１８    円形板
１９    覗孔
２１    ミラー部材
２３    回転カップ
２４    底部
２５    下部
２７    蓋
２９    細片カプセル
３１    細片部材
３３    ボトル
３４    ボディ
３４ａ  カット面
３５    呑口
３６    ネックリング
３７    カッタ
３８    接着テープ
３９    色紙
４０    シール
４１    色塗り
【図１Ａ】
0003190667.tif 000003
【図１Ｂ】
0003190667.tif 000004
【図１Ｃ】
0003190667.tif 000005
【図１Ｄ】
0003190667.tif 000006
【図１Ｅ】
0003190667.tif 000007
【図１Ｆ】
0003190667.tif 000008
【図２Ａ】
0003190667.tif 000009
【図２Ｂ】
0003190667.tif 000010
【図２Ｃ】
0003190667.tif 000011
【図２Ｄ】
0003190667.tif 000012
【図３】
0003190667.tif 000013
【図４】
0003190667.tif 000014
【図５】
0003190667.tif 000015
【図６】
0003190667.tif 000016
【図７】
0003190667.tif 000017
【図８】
0003190667.tif 000018
【図９】
0003190667.tif 000019
【図１０】
0003190667.tif 000020